(57)【特許請求の範囲】
【請求項１】
間に架台を配置して２基の階段を連結して高所まで上がることが出来る架台を備えた折畳式階段において、該階段はそれぞれ２本の前部傾斜支柱と後部傾斜支柱及び上部連結杆と下部連結杆から成る平面四辺形のリンク機構に、複数枚の踏板を支持軸で所定間隔に軸着して構成し、前記上部連結杆と前部傾斜支柱間の角度を調整して階段の傾斜角度を自在に調節させることが出来る角度調整機構を備え、該角度調整機構は、前部傾斜支柱内に係合した中子の端部に係合歯と係止部を設けたラジェットを回転自在に取付け、該ラジェットと係合する爪部材を上記中子に配設してピンに軸着し、さらに上部連結杆に設けているブラケットに配設された微調整ネジに係合する移動部材内にラジェットの係止部を組み合わせ、そして、上記架台は複数本の支柱を起立して中間部位には台座を設け、下側の折畳式階段は上端のブラケットを支柱に固定し、上側の折畳み式階段は支柱に設けた受けに下端部を載せて止着すると共に、上端ブラケットを高所に固定したことを特徴とする架台を備えた折畳式階段。
【発明の詳細な説明】
【０００１】
【産業上の利用分野】
本発明は高所へ上る為の階段であって、中間に架台を備えた折り畳み式の階段に関するものである。
【０００２】
【従来の技術】
建物内の高所や二階へ上る為に一般的には階段が使用されている。この階段は高さにもよるが中間に架台を配置している場合がある。すなわち、階段を掛架する傾斜角度が急であるならば該階段の強度的な問題はないが、上り易くする為にゆるやかな傾斜角度に設定するならば該階段に作用する曲げモーメントが大きくなり、その為に中間に配置した架台によって二基の短い階段に分離し、作用する曲げモーメントを小さくしている。
【０００３】
上記架台は単に階段の強度を補う為に設置するのみならず、架台をはさんで下側の階段と上側の階段の掛架方向を変えることが出来る。従って、邪魔にならない箇所に階段を設置することが出来るといった利点もある。しかし、このような中間架台は高所の高さや使用する階段の型式によって左右され、該階段との組み合わせで構成されるものである。すなわち、汎用性がなくて如何なる箇所にでも使用出来る構造とはなっていない。
【０００４】
【本発明が解決しようとする課題】
このように高所へ上がる手段として使用する階段の中間に架台を設置する場合には上記のごとき問題がある。本発明が解決しようとする課題はこの問題点であって、高所の高さが如何様であっても手軽に設置することが出来る架台付き折畳式階段を提供する。
【０００５】
【課題を解決するための手段】
本発明は折畳式階段を用いて高所又は二階に上がる為の梯子であり、この場合に該階段は一基ではなく、間に架台を設置して折畳式階段を上下に連結する構造とする。上下に設置する折畳式階段は上記架台を間にして一直線状に連結する場合、又Ｌ型に連結する場合、更に架台を二基併設してＵ型に連結する場合等がある。しかし本発明は折畳式階段の連結形態を限定しない。
【０００６】
ここで、折畳式階段とは折り畳んで収容することが出来る型式のものであり、間隔をおいて互いに平行して配設される前部傾斜支柱と後部傾斜支柱を上部連結杆及び下部連結杆で軸着し、また、互いに所定間隔をおいて上下部連結杆に平行して配設した踏板を揺動自在に軸着した構造である。階段の上部連結杆の内部に階段の傾斜角度を調整することができる機構を設け、階段の勾配を自由に変化させ、所定の勾配になった位置で、角度を固定することができる構造となっている。勿論、上記傾斜角度調整機構を備えない場合もある。
【０００７】
架台の下側に設置される折畳式階段はその下端を床面に置き、上端を架台に固定する。本発明の折畳式階段は架台に固定する位置が何処であっても踏板は常に水平を保って立て掛けられる。架台は枠組みされたフレームであり、連結している上下階段の踏板の間には台座が取着されている。以下、本発明に係る実施例を図面に基づいて詳細に説明する。
【０００８】
【実施例】
図１は本発明に係る架台付き折畳式階段を示す実施例である。同図の１、２は折畳式階段、３は架台を表しており、該架台３を間にして上記折畳式階段１、２が連結している。折畳式階段２の上端には高所４が設けられ、従って折畳式階段１から上がって架台３を通り、さらに折畳式階段２から高所４に上がることが出来る。
【０００９】
下側の折畳式階段１はその上端が架台３の支柱５、５に固定され、下端は床面に載っている。又上側の折畳式階段２の上端は高所４に固定され、下端は架台３の支柱５、５から側方へ突出した受け６、６に載って固定されている。そして架台３は４本の支柱５、５…が垂直に起立し、下端部にて枠組みされるとともに中間部にて台座７が取着されてなるフレーム体である。折畳階段２には手摺８が取付けられ、該手摺８は架台３の上端と高所４に起立した柱９とに固定されている。
【００１０】
図２は、本発明の角度調整機構を備えた折畳式階段であって、この階段は一対の前部傾斜支柱１１と一対の後部傾斜支柱１２を備え、それぞれの前部傾斜支柱１１と後部傾斜支柱１２をＬ型に成形した上部連結杆１３と下部連結杆１４で連結し、更にこの間に複数の踏板１５、１５…が上下部連結杆１３、１４と平行をなして配置され、該踏板１５の側面は上記前部傾支柱１１及び後部傾斜支柱１２とそれぞれ支持軸１６、１６…をもって軸着されている。したがって、上記支柱と踏板はパンタグラフ式に自由に動くことが出来る。
【００１１】
図３は、本発明の角度調整機構を備えた折畳式階段を折畳んだ状態を示したもので、本発明による階段はパンタグラフ状に自由に動かすことができるから使用しないときは図３のように折畳むことが出来、前部傾斜支柱１１と後部傾斜支柱１２は互いに当接し、各踏板１５、１５…は一平面内に配列される。
【００１２】
更に詳しく説明すると、Ｌ形に成形した上部連結杆１３の長手方向と前部傾斜支柱１１、短手方向と後部傾斜支柱１２のそれぞれの端部を支持軸１６、１６をもって軸着する。そして、上部連結杆１３と相対してＬ形に成形した下部連結杆１４の短手方向と前部傾斜支柱１１、長手方向と後部傾斜支柱１２のそれぞれの端部を同じく支持軸１６、１６で軸着する。更に、この間に配置されるそれぞれの踏板１５、１５…の側面もＬ形状に成形されて、長手方向端部と前部傾斜支柱１１、短手方向と後部傾斜支柱１２をそれぞれ支持軸１６、１６で軸着している。このようにすることにより、階段を折畳んだとき、各踏板１５、１５…は前部傾斜支柱１１の長手方向の同一平面に整列させることができ、階段を上り板として利用することも出来る。
【００１３】
次に、本発明の角度調整機構について、図４、図５に基づき説明する。先ず、図４に示すように角度調整機構２０は上部連結杆１３のブラケット１７内に配設され、前部傾斜支柱１１内に係合される中子２１の端部に、係合歯２３と係止部２４を設けたラジエット２２を中空ピン３２で回転自在に支持する。そして、該ラジエット２２と係合する爪部材２５を、前記中子２１のコの字形折曲部に配設して、ピン２７で軸着する。更に前記爪部材２５の係合突起部に係合歯２３と爪部材２５の係合を解除させることができるレバー部材２６をピン２８を介して連結する。該ピン２８には係合歯２３に爪部材２５が噛み合うようにバネ２９のバネ力が付勢されている。
【００１４】
更に、階段の傾斜角度を微調整するための装置として、ブラケット１７に配設された微調整ネジ３１に係合する移動部材３０内に、ラジエット２２の係止部２４を組合わせ、そして、スプリング３３によりバネ力を移動部材３０に付勢する。したがって、微調整ネジ３１を回すならば移動部材３０とともに係止部２４が上下動してラジエット２２は回転する。この場合に、爪部材２５はラジエット２２の係合爪２３に噛み合っているために該爪部材２５とともに前部傾斜支柱１１の傾斜角度を変更することになる。
【００１５】
ところで、上記スプリング３３はバネ力を移動部材３０に付勢して押し上げているが、その結果、微調整ネジ３１は上部連結杆１３の上面より突出する。左右の微調整ネジ３１、３１にバラツキがある場合にはこの突出長さが異なって現れる為に、該突出長さを揃えることで両微調整ネジ３１、３１を是正することが出来る（図５参照）。ただし、この微調整ネジ３１に上記スプリング３３は無くてもよい。そして、階段に荷重が作用した場合には上記ラジエット２２は反時計方向へ回転するトルクが作用し、係止部２４は降下して移動部材３０並びに微調整ネジ３１は押し下げられる。しかし、該微調整ネジ３１の頭にて支持されて移動部材３０は所定の位置に保たれ、ラジエット２２の角度が適当に定められる。
【００１６】
このように、該角度調整機構を階段に配設する場合は、先ず角度調整機構２０を備えた中子２１を前部傾斜支柱１１の一方端内部に差し込み、踏板１５及び上部連結杆１３を支持軸１６、１６により軸着し揺動自在とする。これら角度調整機構は上部連結杆１３の左右両方に配設することが好ましいが、大きな荷重が作用しない場合には片方のみに配設しても階段の角度調整は行える。
【００１７】
次に、この角度調整機構２０の調節方法、すなわち、階段の勾配を調整する方法を説明すると、微調整ネジ３１と係合する移動部材３０が、一定の位置で固定され、該移動部材３０と係合している係止部２４により、おのずとラジエット２２も固定される。そして、ラジエット２２に例えば、１５度刻みの角度で切られた係合歯２３と、前部傾斜支柱１１内に配設された爪部材２５の噛み合いにより、角度が決められる。すなわち、係合歯２３の１枚ずらすことにより、階段の勾配は１５度の角度が変えられる。
【００１８】
更に１５度以内の角度微調整は、微調整ネジ３１を回転させることで、移動部材３０の位置が変わる。それに伴いラジエット２２も回転し、係止歯２３の位置が変わる。その結果、係止歯２３と噛合っている爪部材２５の位置が変えられると共に前部傾斜支柱１１の傾斜角度が変化し、階段の角度すなわち勾配を自由に、しかも簡単に調整することができる。
【００１９】
なお、このようにして係合されたラジエット２２と爪部材２５は、階段の昇降時に踏板１５に荷重が加えられると、より一層噛合いが強くなり、歯と爪が外れることはない。また、図３のように階段を折畳む時は、レバー部材２６を押すことにより、ラジエット２２の係合歯２３から爪部材２５が解放され、一気に階段を折畳むことができる。
【００２０】
ただし、上記爪部材２５の解放手段はレバー部材２６に限らず、ピン２８の箇所にネジを設け、該ネジの頭を前部傾斜支柱１１の表面に突出させることも出来る。従って、前部傾斜支柱１の表面にはネジの頭が移動することが出来るような湾曲溝を形成し、ネジの頭をスライドさせて爪部材２５を係止歯２３から解放する。図６はこの場合の解放手段を表した具体例である。
【００２１】
ところで、下側に位置する折畳式階段１は上記架台３に取付けられることになる訳で、該ブラケット１７正面には取付け板１８が形成され、架台３の支柱５、５にネジ止めされる。この状態で下部連結杆１４が床面に接するように角度調整機構２０を調節し、同時に各踏板１５、１５…を水平にする。一方、上側に位置する折畳式階段２は同じように上部のブラケット１７が高所４にネジ止めされるとともに、下部連結杆１４を支柱５に取り付けした受け６、６にネジ止めする。
【００２２】
図７（ａ）〜（ｃ）は折畳式階段１、２を配置した具体的形態を表している。（ａ）は架台３を間にして折畳式階段１、２をＬ型に配置した場合である。（ｂ）は両折畳式階段１、２がＵ型を成している場合で、（ｃ）は二基の架台３ａ、３ｂを隣接して配置し、該架台３ａ、３ｂの高さを違わせるとともに、架台３ａ、３ｂには踏板１９ａ、１９ｂを高さを違えて取着している実施例である。従って、この場合にはより高い高所４まで上がることが出来る。
【００２３】
ところで、本発明の折畳式階段はその傾斜角度を自由に変えることが出来る構造となっている訳であり、従って架台３に取り付けする高さが変わっても配置可能である。従って、折畳式階段１、２が前記図４に示すような角度調整機構２０を備えなくてはならないものではなく、折畳式階段の上端に備えるブラケット１７を架台３に固定するならば、その高さに応じた傾斜角度にて配置される。以上述べたように、本発明の折畳式階段は架台を中間に備えたものであって、次のような効果を得ることが出来る。
【００２４】
【発明の効果】
本発明の折畳式階段は中間に架台を備えたものであり、比較的高いところまで上がることが出来る。従って、折畳式階段は短くてよく、強度的にも丈夫な階段となる。又、該架台を間にして上下二基の折畳式階段を配置する形態は色々あって、長い一基の階段を用いる場合に比べて設置スペースが小さくてすみ、部屋の片隅に配置することが出来る汎用性のある階段となる。
【００２５】
そして、本発明の階段は折畳式である為に、架台に取り付けする高さがいかようであっても、又高所と架台間の高さがどのようであっても配置することが出来る。すなわち、各階段の傾斜角度は自由変化して取付けられる。更に、柱状を成す架台は床面に固定することなくして起立し、両折畳式階段が支えとなって安定する。
【図面の簡単な説明】
【図１】本発明の架台を備えた折畳式階段の実施例。
【図２】折畳式階段の具体例であって斜視図を表す。
【図３】折畳み式階段を折り畳んだ状態。
【図４】折畳式階段に備えた角度調整機構。
【図５】図４のＡ−Ａ断面図。
【図６】爪部材を係合歯から解放する為の別手段。
【図７】本発明の架台を備えた折畳式階段の他の実施例。
【符号の説明】
１  折畳式階段
２  折畳式階段
３  架台
４  高所
５  支柱
６  受け
７  台座
８  手摺
９  柱
１１    前部傾斜支柱
１２    後部傾斜支柱
１３    上部連結杆
１４    下部連結杆
１５    踏板
１６    支持軸
１７    ブラケット
１８    取付け板
１９    踏板
２０  角度調整機構
２１  中子
２２  ラジエット
２３  係合歯
２４  係止部
２５  爪部材
２６  レバー部材
２７  ピン
２８  ピン
２９  バネ
３０  移動部材
３１  微調整ネジ
３２  中空ピン
３３  スプリング
【図１】
0003572495.tif 000002
【図２】
0003572495.tif 000003
【図３】
0003572495.tif 000004
【図４】
0003572495.tif 000005
【図５】
0003572495.tif 000006
【図６】
0003572495.tif 000007
【図７】
0003572495.tif 000008